【手続補正書】
【提出日】平成19年7月6日(2007.7.6)
【手続補正１】
【補正対象書類名】明細書
【補正対象項目名】特許請求の範囲
【補正方法】変更
【補正の内容】
【特許請求の範囲】
【請求項１】  抗菌組成物の散布または噴霧を含み、空気１ｍ３につき0.001〜1 mlの抗菌組成物の濃度が該抗菌組成物の該散布または噴霧で調節され、および/または空気交換システムが調節されて空気１ｍ３、１時間につき0.001〜1 mlの用量が達成され、および/または5〜10 ppbの抗菌組成物の永続的な濃度が実現され、該抗菌組成物がエタノールおよびイソプロパノールを含まず、
(a)１またはそれ以上のＧＲＡＳ(一般に安全であると認められている)香気性アルコールまたはそれらの誘導体；および
(b)   (b1)ポリフェノール化合物；および
(b2)ＧＲＡＳ香気性酸またはそれらの誘導体
から選択される１またはそれ以上の香料添加剤
を含有する、
空気の消毒方法。
【請求項２】  該抗菌組成物が、
成分(a)0.1〜99.9重量％、好ましくは0.5〜99重量％；および
成分(b1)0.01〜25重量％、好ましくは0.01〜10重量％；および/または
成分(b2)0.01〜70重量％、好ましくは0.01〜30重量％
を含有する、請求項１記載の方法。
【請求項３】  該ＧＲＡＳ香気性アルコール(a)が、ベンジルアルコール、アセトイン、プロピルアルコール、プロピレングリコール、グリセロール、n-ブチルアルコール、イソブチルアルコール、ヘキシルアルコール、L-メントール、オクチルアルコール、シンナミルアルコール、α-メチルベンジルアルコール、ヘプチルアルコール、n-アミルアルコール、イソアミルアルコール、アニスアルコール、シトロネロール、n-デシルアルコール、ゲラニオール、β-γ-ヘキセノール、ラウリルアルコール、リナロオール、ネロリドール、ノナジエノール、ノニルアルコール、ロジノール、テルピネオール、ボルネオール、クリネオール、アニソール、クミニルアルコール、10-ウンデセン-l-オール、1-ヘキサデカノール、またはそれらの誘導体から選択され；
該ポリフェノール化合物(b1)が、カテコール、レゾルシノール、ヒドロキノン、フロログルシノール、ピロガロール、シクロヘキサン、ウスニン酸、アシルポリフェノール類、リグニン類、アントシアニン類、フラボン類、カテコール類、没食子酸誘導体、カフェー酸、フラボノイド類、記載のポリフェノール類の誘導体、およびカメリア、プリムラからの抽出物から選択され；そして
該ＧＲＡＳ酸(b2)が、酢酸、アコニット酸、アジピン酸、ギ酸、リンゴ酸、カプロン酸、ヒドロケイ皮酸、ペラルゴン酸、乳酸、フェノキシ酢酸、フェニル酢酸、吉草酸、イソ吉草酸、ケイ皮酸、クエン酸、マンデル酸、酒石酸、フマル酸、タンニン酸、およびそれらの誘導体から選択される；
請求項１または２記載の方法。
【請求項４】  該抗菌組成物が、
(a1)必須成分として少なくとも１の芳香族ＧＲＡＳ香気性アルコール；および所望により
(a2)１またはそれ以上のさらなるＧＲＡＳ香気性アルコールまたはその誘導体
を含有する、請求項１〜３いずれかに記載の方法。
【請求項５】  該芳香族ＧＲＡＳ香気性アルコールが、ベンジルアルコール、2-フェニルエタノール、1-フェニルエタノール、シンナミルアルコール、ヒドロシンナミルアルコール、および1-フェニル-l-プロパノールから選択され、好ましくはベンジルアルコールである、請求項４記載の方法。
【請求項６】  さらなる該ＧＲＡＳ香気性アルコール(a2)が親水性ＧＲＡＳ香気性アルコールであり、および/または該ＧＲＡＳ酸(b2)が親水性ＧＲＡＳ酸である、請求項４または５記載の方法。
【請求項７】  該親水性ＧＲＡＳ香気性アルコールが、炭素数２〜７を有する一価または多価アルコールであり、とりわけ１-プロパノール、グリセロール、プロピレングリコールおよびアセトインから選択され、好ましくはプロピレングリコールであり；そして
該親水性ＧＲＡＳ酸が、炭素数２〜１０を有する有機酸であり、とりわけ酢酸、アコニット酸、ギ酸、リンゴ酸、乳酸、フェニル酢酸、クエン酸、マンデル酸、酒石酸、フマル酸、タンニン酸、ヒドロケイ皮酸および生理学的に許容され得るそれらの塩から選択される、請求項６記載の方法。
【請求項８】  該抗菌組成物が
成分(al)0.1〜99重量％、好ましくは0.1〜75重量％；
成分(a2)0〜99.8重量％、好ましくは0.01〜99重量％；および
成分(bl)0.01〜25重量％、好ましくは0.01〜10重量％；および/または
成分(b2)0.01〜70重量％、好ましくは0.01〜30重量％
を含有する、請求項４〜７いずれかに記載の方法。
【請求項９】  該抗菌組成物が、成分(a1)、好ましくはベンジルアルコール 0.1〜10重量％、および親水性ＧＲＡＳ香気性アルコール、とりわけプロピレングリコール 少なくとも75重量％、とりわけ90〜99重量％、を含有する、請求項８記載の方法。
【請求項１０】  該抗菌組成物が、(c)フェノール、(d)エステル、(e)テルペン、(f)アセタール、(g)アルデヒド、および(h)精油から選択される別のＧＲＡＳ香料添加剤を含有する、請求項１〜９いずれかに記載の方法。
【請求項１１】  該抗菌組成物が、前記別のＧＲＡＳ香料添加剤(c)〜(h) 0.001〜25重量％、好ましくは0.01〜9重量％を含有する、請求項１０記載の方法。
【請求項１２】  前記別のＧＲＡＳ香料添加剤がフェノール(c)および/または精油(h)である、請求項１０または１１記載の方法。
【請求項１３】  該抗菌組成物が該ＧＲＡＳ香料添加剤の誘導体を含有しない、請求項１〜１２いずれかに記載の方法。
【請求項１４】  該抗菌組成物が、１または２種のＧＲＡＳ香気性アルコール(a2)および少なくとも１種のポリフェノール化合物(b1)、とりわけタンニンを含有する、請求項４〜１２いずれかに記載の方法。
【請求項１５】  該抗菌組成物が、ベンジルアルコール 0.1〜20重量％およびタンニン 0.01〜10重量％を含有する、請求項１４記載の方法。
【請求項１６】  該抗菌組成物の水含有量が、35重量％未満、好ましくは5〜25重量％である、請求項１〜１５いずれか、とりわけ請求項９記載の方法。
【請求項１７】  該組成物が、
(i)さらに、炭素数２〜１０を有する一価または多価アルコール、乳化剤、安定剤、酸化防止剤、防腐剤、溶媒、および/またはキャリアー物質を含有する；または
(ii)ＧＲＡＳ香料添加剤のみからなる
請求項１〜１５いずれかに記載の方法。
【請求項１８】  該抗菌組成物の噴霧が、二液ノズルシステム、蒸発システムまたは空気用バブラー装置で、または包装用の特別設計で成し遂げられる、請求項１〜１７いずれかに記載の方法。
【請求項１９】  空気１ｍ３につき0.01〜0.1 mlの抗菌組成物の濃度が該抗菌組成物の該散布または噴霧で調節され、および/または空気交換システムが調節されて、空気１ｍ３、１時間につき0.01〜0.1 mlの用量で行なわれる、請求項１記載の方法。
【請求項２０】  請求項１〜１７記載の空気消毒用抗菌組成物。
【請求項２１】  あらゆる種類の包装中の空気を含む空気消毒用の、請求項１〜１７記載の抗菌組成物の使用。
【手続補正２】
【補正対象書類名】明細書
【補正対象項目名】００１７
【補正方法】変更
【補正の内容】
【００１７】
本発明によれば、成分(a)は１種またはそれ以上のＧＲＡＳ香気性アルコールを含有し得る。本発明によると、２または３種のＧＲＡＳ香気性アルコールを使用するのが好ましい。詳しくは、例えば下記のＧＲＡＳ香気性アルコールが使用できる：ベンジルアルコール、アセトイン(アセチルメチルカルビノール)、プロピルアルコール(1-プロパノール)、プロピレングリコール、グリセロール、n-ブチルアルコール(n-プロピルカルビノール)、イソブチルアルコール(2-メチル-l-プロパノール)、ヘキシルアルコール(ヘキサノール)、L-メントール、オクチルアルコール(n-オクタノール)、シンナミルアルコール(3-フェニル-2-プロペン-l-オール)、α-メチルベンジルアルコール(1-フェニルエタノール)、ヘプチルアルコール(ヘプタノール)、n-アミルアルコール(1-ペンタノール)、イソアミルアルコール(3-メチル-l-ブタノール)、アニスアルコール(4-メトキシベンジルアルコール、p-アニスアルコール)、シトロネロール、n-デシルアルコール(n-デカノール)、ゲラニオール、β-γ-ヘキサノール(3-ヘキサノール)、ラウリルアルコール(ドデカノール)、リナロオール、ネロリドール、ノナジエノール(2,6-ノナジエン-l-オール)、ノニルアルコール(ノナノール-1)、ロジノール、テルピネオール、ボルネオール、クリネオール(オイカリプトール)、アニソール、クミニルアルコール(クミノール)、10-ウンデセン-l-オール、1-ヘキサデカノール。該誘導体として、天然および合成(天然型または非天然型)誘導体の両方が使用できる。適切な誘導体には、例えば、上記ＧＲＡＳ香気性アルコールのエステル、エーテルおよびカルボネートが含まれる。特に好ましいＧＲＡＳ香気性アルコールは、ベンジルアルコール、1-プロパノール、グリセロール、プロピレングリコール、n-ブチルアルコール、シトロネロール、ヘキサノール、リナロオール、アセトインおよびそれらの誘導体である。